(57)【要約】【課題】光源を交換する際のメンテナンスの時間を短縮することができる液体噴射装置、及び同液体噴射装置に取り付け可能な光源モジュールを提供する。【解決手段】液体噴射装置の一例であるプリンターは、媒体にＵＶによって硬化するＵＶインクを噴射する噴射ヘッドと、ＵＶインクにＵＶを照射する照射器１５を有する光源モジュール７と、光源モジュール７が着脱可能なガイド軸と、照射器１５を制御する駆動制御部２２と、を備えている。光源モジュール７は、照射器１５に加えて、同照射器１５の照射特性を示す情報を記憶したメモリー１６を有しており、駆動制御部２２は、メモリー１６に記憶されている照射器１５の照射特性を示す情報を利用して照射器１５を制御する。【選択図】図４
2015080893.tif 000002
【特許請求の範囲】
【請求項１】
液体を噴射する噴射ヘッドと、
光を照射する光源及び同光源の照射特性を示す情報を記憶した記憶媒体を有する光源モジュールと、
前記光源モジュールが着脱可能な取付部と、
前記記憶媒体に記憶されている前記光源の照射特性を示す情報を利用して前記光源を制御する制御部と、を備える液体噴射装置。
【請求項２】
前記記憶媒体を第１の記憶媒体とするとき、前記制御部に第２の記憶媒体が設けられており、
前記制御部は、前記第１の記憶媒体に記憶されている前記光源の照射特性を示す情報を前記第２の記憶媒体に複製し、前記第２の記憶媒体に複製した情報に基づいて前記光源を制御する
請求項１に記載の液体噴射装置。
【請求項３】
前記制御部は、前記光源モジュールが取り付けられたときに、前記第１の記憶媒体に記憶されている情報を前記第２の記憶媒体に複製する
請求項２に記載の液体噴射装置。
【請求項４】
前記光源モジュールに設けられている前記記憶媒体に、同記憶媒体の故障判定用の記憶領域が設けられている
請求項１〜３のいずれか一項に記載の液体噴射装置。
【請求項５】
光を照射する光源と、
前記光源の照射特性を示す情報を記憶した記憶媒体と、
を備える光源モジュール。
【請求項６】
前記記憶媒体に、同記憶媒体の故障判定用の記憶領域が設けられている
請求項５に記載の光源モジュール。
【発明の詳細な説明】
【技術分野】
【０００１】
本発明は、光硬化型の液体を媒体に噴射し、同媒体に噴射された液体に光を照射することで同液体を硬化させる液体噴射装置、及び同液体噴射装置に取り付け可能な光源モジュールに関する。
【背景技術】
【０００２】
従来から、液体噴射装置として、噴射ヘッドに形成されたノズルからインクを噴射することによって用紙などの媒体に画像などを印刷するインクジェット式プリンターが知られている。また、こうしたプリンターの一種として、紫外線（以下、「ＵＶ」ともいう）が照射されることで硬化するＵＶ硬化型インクをノズルから噴射するものも知られている（例えば、特許文献１参照）。
【０００３】
すなわち、このプリンターでは、噴射ヘッドの両端にＵＶ光源が取り付けられており、媒体に画像などを印刷する際には、噴射ヘッドに設けられたノズルから媒体に向けてＵＶ硬化型インクが噴射される。そして、媒体に付着したＵＶ硬化型インクにＵＶ光源からＵＶを照射することにより、媒体上で速やかにＵＶ硬化型インクを硬化させている。
【０００４】
なお、こうしたＵＶ光源を備えるプリンターでは、光源の劣化によってＵＶ硬化型インクを硬化させるために必要な光量を確保することができなくなる場合がある。そのため、必要に応じてメンテナンスを行い、ＵＶ光源を交換するようにしている。
【先行技術文献】
【特許文献】
【０００５】
【特許文献１】特開２００９−１６０９２０号公報
【発明の概要】
【発明が解決しようとする課題】
【０００６】
ところで、ＵＶ光源は、同一仕様であっても製造上のばらつきによってその照射特性に個体差のある場合がある。また、交換されるＵＶ光源の仕様が異なれば、その照射特性も異なる。そのため、ＵＶ光源の交換前後では、同じ駆動電流を流した場合であっても、照射される光量が変化する場合がある。
【０００７】
その一方、プリンターにおいて、その制御装置が実行するプログラムや制御に必要な情報が格納された情報記憶部には、その時点でプリンターに取り付けられているＵＶ光源の照射特性に適合した制御データが記憶されている。このため、ＵＶ光源を交換すると、交換前のＵＶ光源の制御データに基づいて交換後のＵＶ光源が制御されることになり、その光量を適切に制御できなくなるおそれがある。
【０００８】
そこで、メンテナンスによりＵＶ光源を交換したときには、ＵＶ光源を実際に駆動して交換後のＵＶ光源の照射特性を学習し、制御装置に記憶されたＵＶ光源の制御データを更新していた。しかしながら、こうした更新を行う必要があると、メンテナンスの時間が長くなってしまうという問題があった。
【０００９】
なお、こうした問題は、ＵＶ硬化型インクを用いて印刷を行うインクジェット式プリンターに限らず、光硬化型の液体を噴射する液体噴射装置にあっては概ね共通するものとなっている。
【００１０】
本発明は、こうした課題に鑑みてなされたものであり、その目的は、光源を交換する際のメンテナンスの時間を短縮することができる液体噴射装置、及び同液体噴射装置に取り付け可能な光源モジュールを提供することにある。
【課題を解決するための手段】
【００１１】
以下、上記課題を解決するための手段及びその作用効果について説明する。
上記課題を解決する液体噴射装置は、液体を噴射する噴射ヘッドと、光を照射する光源及び同光源の照射特性を示す情報を記憶した記憶媒体を有する光源モジュールと、光源モジュールが着脱可能な取付部と、記憶媒体に記憶されている光源の照射特性を示す情報を利用して同光源を制御する制御部と、を備えている。
【００１２】
上記構成によれば、光源を交換する際には、液体噴射装置の取付部から光源モジュールが取り外され、この取付部に新たな光源モジュールが取り付けられる。そして、この際に交換単位とされる光源モジュールには、光源と共にその光源の照射特性を示す情報を記憶した記憶媒体が設けられている。そのため、交換前と交換後の光源に個体差や仕様差があったとしても、交換後の光源を実際に駆動してその照射特性を学習することで制御データを更新することも不要とされる。したがって、光源を交換する際のメンテナンスの時間を短縮することができる。
【００１３】
また、上記液体噴射装置においては、上記光源モジュールの記憶媒体を第１の記憶媒体とするとき、制御部に第２の記憶媒体を設け、制御部は、第１の記憶媒体に記憶されている光源の照射特性を示す情報を第２の記憶媒体に複製し、第２の記憶媒体に複製した情報に基づいて光源を制御することが望ましい。
【００１４】
上記構成によれば、制御部は、光源モジュールに設けられた第１の記憶媒体に記憶されている情報を制御部に設けられた第２の記憶媒体に複製した上で、その複製した情報に基づき光源を制御する。そのため、制御部は、光源を制御する度に制御部とは別の光源モジュールに設けられた第１の記憶媒体から照射特性を示す情報を読み出す必要がない。そのため、第１の記憶媒体と制御部との通信が遮断される等して、第１の記憶媒体から情報を読み出すことができない場合であっても、第２の記憶媒体に複製された情報に基づいて光源を適切に制御することができる。したがって、光源の制御の信頼性を向上させることができる。
【００１５】
また、上記液体噴射装置において、上記制御部は、光源モジュールが取り付けられたときに、第１の記憶媒体に記憶されている情報を第２の記憶媒体に複製することが望ましい。
【００１６】
光源が駆動されているときには光源が高温になるため、光源モジュールに設けられた第１の記憶媒体は、光源の駆動により高温に晒されることとなる。そのため、この熱の影響によって、第１の記憶媒体からの情報の読み出しに支障が生じるおそれがある。
【００１７】
この点、上記構成によれば、光源モジュールが取り付けられたとき、すなわち、光源が駆動されて第１の記憶媒体が高温に晒される前に、第１の記憶媒体に記憶された情報が第２の記憶媒体に複製される。このため、光源の交換後において第２の記憶媒体には第１の記憶媒体が高温に晒される前の信頼性の高い情報を複製することができる。したがって、光源の制御の信頼性を更に向上させることができる。
【００１８】
また、上記液体噴射装置においては、光源モジュールに設けられている上記記憶媒体に、同記憶媒体の故障判定用の記憶領域を設けることが望ましい。
記憶媒体が故障すると、光源を適切に制御することができなくなるおそれがある。
【００１９】
この点、上記構成によれば、光源モジュールに設けられている記憶媒体に同記憶媒体の故障判定用の記憶領域を設けているため、この記憶領域に記憶されている情報に基づいてこの記憶媒体に故障が生じているか否かを判定することができる。そして、故障が生じていないときにのみ、この記憶媒体に記憶された情報に基づいて光源を制御することで、誤った情報に基づいて光源が制御されることを抑制できる。また、光源モジュールに設けられた記憶媒体に記憶された情報を制御部に設けられた記憶媒体に複製する際にも、光源モジュールに設けられた記憶媒体が故障していないときにのみ情報を複製するようにすれば、誤った情報に基づいて光源が制御されることを抑制できる。したがって、光源の制御の信頼性を更に一層向上させることができる。
【００２０】
また、上記課題を解決する光源モジュールは、光を照射する光源と、光源の照射特性を示す情報を記憶した記憶媒体と、を備える。
上記構成によれば、光源と、同光源の照射特性を示す情報を記憶した記憶媒体とが一体の光源モジュールとして構成されている。このため、交換前と交換後の光源に個体差や仕様差があったとしても、この光源モジュールの記憶媒体に記憶された情報を読み出すことで、同光源モジュールに設けられた光源の照射特性を把握することができる。そして、こうした光源モジュールを液体噴射装置に取り付けたときには、この光源モジュールの記憶媒体から光源の照射特性を示す情報を読み出すことで同光源を適切に制御することができるようになる。
【００２１】
すなわち、光源を交換する際に、交換後の光源を実際に駆動することなくその照射特性を把握することができる。したがって、光源モジュールを交換する際のメンテナンスの時間を短縮することができる。
【００２２】
また、上記光源モジュールにおいては、上記記憶媒体に、同記憶媒体の故障判定用の記憶領域を設けることが望ましい。
記憶媒体が故障すると、光源の駆動量を適切に制御することができなくなるおそれがある。
【００２３】
この点、上記構成によれば、記憶媒体に同記憶媒体の故障判定用の記憶領域を設けているため、この記憶領域に記憶されている情報に基づいて記憶媒体に故障が生じているか否かを判定することができる。なお、こうした光源モジュールを液体噴射装置に取り付けた場合には、記憶媒体に故障が生じていないと判断したときにのみ、同記憶媒体に記憶された情報に基づいて光源を制御することで、光源を適切に制御することができるようになる。したがって、誤った情報に基づいて光源が制御されることを抑制し、光源の制御の信頼性を更に一層向上させることができる。
【図面の簡単な説明】
【００２４】
【図１】第１の実施形態のプリンターの斜視図。
【図２】同プリンターに設けられたキャリッジ及び光源モジュールの概略構成を示す上面図。
【図３】同プリンターの電気的構成を模式的に示すブロック図。
【図４】同プリンターにおける光源の制御態様を模式的に示すブロック図。
【図５】第２の実施形態のプリンターにおける光源の制御態様を模式的に示すブロック図。
【図６】同プリンターの駆動制御部が実行する複製処理にかかる一連の処理の手順を示すフローチャート。
【発明を実施するための形態】
【００２５】
（第１の実施形態）
以下、液体噴射装置、及び同液体噴射装置に取り付け可能な光源モジュールの第１の実施形態について、図１〜図４を参照して説明する。なお、本実施形態は、液体噴射装置をインクジェット式プリンター（以下、単に「プリンター」と略す場合もある）に具体化した例を示している。
【００２６】
図１に示すように、このインクジェット式プリンターは、略矩形箱状の本体ケース１を備えている。本体ケース１内には、その下部に同ケースの長手方向に沿って延びる支持台２が設けられている。また、本体ケース１の背壁３の下部には、紙送りモーター４が配置されている。この紙送りモーター４が駆動されると、媒体の一例である用紙Ｐが支持台２上に搬送される。
【００２７】
また、支持台２の上方には、本体ケース１の長手方向に延びるガイド軸５が架設されている。ガイド軸５には、その軸方向に沿って摺動可能なキャリッジ６が取り付けられている。また、キャリッジ６におけるガイド軸５の軸方向と交差する両側面にはキャリッジ６を挟むようにして第１の光源モジュール７と第２の光源モジュール８とが取り付けられている。なお、各光源モジュール７，８は、取付部として機能するキャリッジ６から取り外し可能であるとともに、同キャリッジ６と共にガイド軸５の軸方向に沿って摺動可能に設けられている。
【００２８】
一方、本体ケース１の背壁３の内面には、その長手方向の両端部に駆動プーリー９及び従動プーリー１０が回転自在に設けられている。駆動プーリー９には、同駆動プーリー９を回転させる駆動モーター１１が連結されている。駆動プーリー９及び従動プーリー１０には、その一部がキャリッジ６に連結された無端状のタイミングベルト１２が巻き架けられている。このため、駆動モーター１１が駆動プーリー９を回転させると、タイミングベルト１２を介してキャリッジ６及び各光源モジュール７，８がガイド軸５の軸方向に沿って移動する。なお、以下では、このキャリッジ６の移動方向を走査方向Ｘとする。
【００２９】
次に、図２を併せ参照して、キャリッジ６及び各光源モジュール７，８について説明する。
図２に示すように、キャリッジ６の下面には、光硬化型液体の一例であるＵＶ硬化型インク（以下、「ＵＶインク」という）を噴射する噴射ヘッド１３が設けられている。また、図１に示すように、キャリッジ６には、噴射ヘッド１３にＵＶインクを供給するためのインクカートリッジ１４が着脱可能に取り付けられている。インクカートリッジ１４内のＵＶインクは、噴射ヘッド１３に備えられた圧電素子の駆動に伴い、インクカートリッジ１４から噴射ヘッド１３に供給される。そして、噴射ヘッド１３に供給されたＵＶインクは、噴射ヘッド１３に形成された複数のノズルから支持台２上に搬送された用紙Ｐに噴射される。
【００３０】
また、第１の光源モジュール７には、光源としてＵＶを照射する照射器１５と、記憶媒体の一例であるメモリー１６が設けられている。メモリー１６は、不揮発性のメモリーであり、照射器１５の照射特性を示す情報が記憶されている。本実施形態では、照射特性を示す情報として、照射器１５に流す電流と同電流が流されたときの照射器１５の光量との関係が記憶されている。また、これら照射器１５及びメモリー１６は、同一基板上に配設されている。
【００３１】
また、第２の光源モジュール８には、光源としてＵＶを照射する照射器１７と、記憶媒体の一例であるメモリー１８が設けられている。メモリー１８は、不揮発性のメモリーであり、照射器１７の照射特性を示す情報が記憶されている。本実施形態では、照射特性を示す情報として、照射器１７に流す電流と同電流が流されたときの照射器１７の光量との関係が記憶されている。また、これら照射器１７及びメモリー１８は、同一基板上に配設されている。
【００３２】
なお、これらメモリー１６，１８が光源である照射器１５，１７の照射特性を示す情報を記憶した記憶媒体として機能する。
また、照射器１５，１７としては、例えば、メタルハライドランプやＵＶ‐ＬＥＤなどを採用することができる。
【００３３】
そして、図２中における右方を「走査方向＋Ｘ」とし、図２中における左方を「走査方向−Ｘ」とすると、キャリッジ６が走査方向＋Ｘに移動する場合には、その移動方向における後方に設けられた照射器１５からＵＶが照射される。一方、キャリッジ６が走査方向−Ｘに移動する場合には、その移動方向における後方に設けられた照射器１７からＵＶが照射される。したがって、用紙ＰにＵＶインクを噴射すると、キャリッジ６の移動に伴い噴射されて用紙Ｐに付着したＵＶインクにＵＶが照射されることとなり、用紙Ｐ上でＵＶが照射されたＵＶインクは速やかに硬化する。
【００３４】
また、図１に示すように、本体ケース１内には、同図１中の右端部に、メンテナンス機構１９が設けられている。メンテナンス機構１９は、キャリッジ６及び各光源モジュール７，８が最も駆動プーリー９側に位置するホームポジションＨＰとなったときに、噴射ヘッド１３をクリーニングしたり、各照射器１５，１７から照射されるＵＶの光量を測定したりする等のメンテナンスを行う。なお、このメンテナンスによって、例えば照射器１５から照射されるＵＶの光量がＵＶインクを硬化させるために必要な光量に満たないと判断したときには、メンテナンス機構１９は第１の光源モジュール７の交換をユーザーに知らせるための信号を出力する。
【００３５】
次に、図３を参照して、このプリンターの電気的構成について説明する。
図３に示すように、このプリンターには、同プリンターを統括制御する制御装置２０が設けられている。制御装置２０は、プリンターの各構成部品と電気的に接続されている。こうした構成部品としては、例えば、紙送りモーター４、駆動モーター１１、噴射ヘッド１３、照射器１５、メモリー１６、照射器１７、メモリー１８、及び取得部２１などがある。取得部２１は、インク種及び媒体種に関する情報を取得するためのものであり、例えばタッチパネル式の液晶ディスプレイなどでもよいし、プリンターに電気的に接続されたコンピューターであってもよい。制御装置２０には、これらの各構成部品から電気信号が入力される。
【００３６】
また、制御装置２０は、駆動制御部２２と記憶部２３とを有している。記憶部２３は、不揮発性メモリーからなり、プリンター制御のための各種プログラムを記憶している。また、駆動制御部２２は、各構成部品から入力された電気信号に基づいてプリンター制御に係る各種演算処理を実施し、この演算結果に基づいて各構成部品を制御する。駆動制御部２２が実行する制御としては、例えば、印刷スピードや印刷画質の制御などがある。また、各照射器１５，１７を流れる電流を制御して各照射器１５，１７から照射されるＵＶの光量を調節する光源制御も実行する。すなわち、このプリンターでは、駆動制御部２２が光源である照射器１５，１７を制御する制御部として機能する。
【００３７】
次に、図４を参照して、駆動制御部２２によって実行される光源制御について説明する。なお、第１の光源モジュール７に設けられた照射器１５に対する光源制御と、第２の光源モジュール８に設けられた照射器１７に対する光源制御は同様の制御である。そのため、以下では、照射器１５に対する光源制御を例に説明し、照射器１７に対する光源制御の説明は省略する。
【００３８】
第１の光源モジュール７に設けられたメモリー１６には、照射器１５を制御するための制御データ、すなわち照射器１５の照射特性を示す情報が記憶されている。
このため、図４に矢印で示すように、制御装置２０に設けられた駆動制御部２２は、所定周期毎に第１の光源モジュール７のメモリー１６から、照射器１５の照射特性を示す情報を読み出す。そして、この情報を利用して照射器１５を制御する。すなわち、メモリー１６に記憶されている情報を読み出すことで、照射器１５の照射特性を把握する。そして、ＵＶインクを硬化させるために必要な光量を確保することができるように、こうして把握した照射特性にあわせて照射器１５に流す電流を制御する。
【００３９】
次に、本実施形態のプリンターの作用について説明する。
本実施形態では、照射器１５を備えた取り外し可能な第１の光源モジュール７を採用している。そのため、プリンターのキャリッジ６から第１の光源モジュール７を取り外し、このキャリッジ６に新たな光源モジュールを取り付けることで、光源である照射器１５の交換が完了する。また、第１の光源モジュール７には、照射器１５の照射特性を示す情報を記憶したメモリー１６が設けられている。このため、メモリー１６から情報を読み出すことで、交換後の照射器１５を実際に駆動してその照射特性を学習することなくその照射特性を把握することができる。
【００４０】
また、照射器１５とメモリー１６とを同一基板上に配設するようにしたため、第１の光源モジュール７を製造するときに組み付ける基板の枚数が少なくてすみ、その組み立てが容易となる。
【００４１】
なお、本実施形態では、第２の光源モジュール８も第１の光源モジュール７と同様の構成を備えているため、第２の光源モジュール８においても上記と同様の作用が生じる。
上記実施形態によれば、以下のような効果を得ることができる。
【００４２】
（１）光源を交換する際の交換単位とされる光源モジュール７，８には、光源である照射器１５，１７と共にその照射器１５，１７の照射特性を示す情報を記憶したメモリー１６，１８が設けられている。そのため、交換前と交換後の照射器１５，１７に個体差や仕様差があったとしても、交換後の照射器１５，１７を実際に駆動してその照射特性を学習することで制御データを更新することも不要とされ、光源である照射器１５，１７を交換する際のメンテナンスの時間を短縮することができる。
【００４３】
（第２の実施形態）
次に、液体噴射装置、及び同液体噴射装置に取り付け可能な光源モジュールの第２の実施形態について、図５及び図６を参照して説明する。なお、本実施形態では、光源モジュール７，８が交換されたときに新たな光源モジュール７，８のメモリー１６，１８に記憶されている情報を駆動制御部２２に複製する点で上記第１の実施形態と異なっている。また、第１の実施形態と同様の構成については、その詳細な説明を省略する。
【００４４】
図５に示すように、この実施形態における制御装置２０の駆動制御部２２には、不揮発性のメモリー２４が設けられている。そして、駆動制御部２２は、このメモリー２４に、メモリー１６，１８に記憶されている情報をそれぞれ複製する複製処理を実行する。そして、メモリー２４に複製された情報に基づいて各照射器１５，１７を制御する。すなわち、本実施形態では、メモリー１６，１８が光源である照射器１５，１７の照射特性を示す情報を記憶した第１の記憶媒体に相当し、メモリー２４が第２の記憶媒体に相当する。
【００４５】
また、光源モジュール７，８に設けられたメモリー１６，１８には、故障判定用の記憶領域２５がそれぞれ設けられ、同故障判定用の記憶領域２５には予め所定のデータが入力されている。
【００４６】
次に、図６のフローチャートを参照して、メモリー１６の情報をメモリー２４に複製する複製処理にかかる一連の処理について説明する。なお、メモリー１６の情報をメモリー２４に複製する複製処理と、メモリー１８の情報をメモリー２４に複製する複製処理とは同様の処理である。そのため、以下では、メモリー１６の情報をメモリー２４に複製する複製処理を例に説明し、メモリー１８の情報をメモリー２４に複製する複製処理についてはその説明を省略する。これらの一連の処理は、制御装置２０によって所定周期毎に繰り返し実行される。
【００４７】
図６に示すように、この一連の処理では、まず第１の光源モジュール７が交換されたか否かが判定される（ステップＳ１）。例えば、本処理の実行周期よりも長い所定の周期毎に駆動制御部２２からメモリー１６にデータの書き込みを行うようにしておく。そして、この処理では、メモリー１６から読み出したデータの中に駆動制御部２２によって書き込まれたデータが存在しないときに第１の光源モジュール７が交換されたと判断する。ステップＳ１の処理において肯定判定となった場合（ステップＳ１：ＹＥＳ）、すなわち第１の光源モジュール７が交換されて新たな光源モジュールが取り付けられたと判断した場合には、次にステップＳ２の処理に移行する。
【００４８】
ステップＳ２の処理では、第１の光源モジュール７に設けられたメモリー１６が正常であるか否かが判断される。この処理では、例えば、メモリー１６における故障判定用の記憶領域２５に予め記憶されている所定のデータが正しく読み込める場合にメモリー１６が正常であると判定する。そして、この処理において肯定判定となった場合（ステップＳ２：ＹＥＳ）、すなわち第１の光源モジュール７が交換されたときであり、且つメモリー１６が故障していない場合には、次にステップＳ３の処理に移行する。
【００４９】
ステップＳ３の処理では、駆動制御部２２によってメモリー１６から照射器１５の照射特性を示す情報が読み出され、この情報がメモリー２４に複製される。こうして照射特性を示す情報を複製する複製処理を実行すると、この一連の処理は終了する。
【００５０】
一方、ステップＳ１の処理やステップＳ２の処理において否定判定となった場合には、複製処理を実行せずに、この一連の処理は終了する。
次に、本実施形態のプリンターの作用について説明する。
【００５１】
本実施形態では、第１の光源モジュール７に設けられたメモリー１６に記憶されている情報が駆動制御部２２に設けられたメモリー２４に複製された上で、その複製された情報に基づき照射器１５が制御される。そのため、駆動制御部２２は、照射器１５を制御する度に駆動制御部２２とは別の第１の光源モジュール７に設けられたメモリー１６から照射特性を示す情報を読み出す必要がない。そのため、メモリー１６と駆動制御部２２との通信が遮断される等して、メモリー１６から情報を読み出すことができない場合であっても、メモリー２４に複製された情報に基づいて照射器１５が適切に制御される。
【００５２】
なお、照射器１５が駆動されているときには照射器１５が高温になるため、第１の光源モジュール７に設けられたメモリー１６は、照射器１５の駆動により高温に晒されることとなる。そのため、この熱の影響によって、メモリー１６からの情報の読み出しに支障が生じるおそれがある。
【００５３】
この点、本実施形態では、第１の光源モジュール７が取り付けられたとき、すなわち、照射器１５が駆動されてメモリー１６が高温に晒される前に、メモリー１６に記憶された情報がメモリー２４に複製される。
【００５４】
また、メモリー１６が故障すると、照射器１５を適切に制御することができなくなるおそれがある。この点、上記構成では、メモリー１６に故障判定用の記憶領域２５を設けているため、この記憶領域２５に記憶されている情報に基づいてこのメモリー１６に故障が生じているか否かを判定できる。そして、故障が生じていないときにのみ、このメモリー１６に記憶された情報がメモリー２４に複製されるため、誤った情報に基づいて光源が制御されることが抑制される。
【００５５】
なお、上述したように、照射器１５が駆動されると、メモリー１６は高温に晒されることとなる。したがって、メモリー１６として、磁気ＲＡＭ等の耐熱性の高いメモリーを採用することが望ましい。また、メモリー１６が高温に晒されることを抑制するために、メモリー１６の周囲に断熱材や断熱層を設けるようにしてもよいし、メモリー１６を冷却する冷却装置を設けるようにしてもよい。
【００５６】
なお、本実施形態では、メモリー１６の情報をメモリー２４に複製する複製処理と同様の手順でメモリー１８の情報をメモリー２４に複製する複製処理が行われる。このため、第２の光源モジュール８においても上記と同様の作用が生じる。
【００５７】
以上説明した第２の実施形態によれば、上記（１）と同様の効果に加えて、更に以下の効果が得られるようになる。
（２）光源モジュール７，８に設けられたメモリー１６，１８に記憶された情報をメモリー２４に複製した上で、その複製された情報に基づいて照射器１５，１７を制御するようにした。このため、例えば通信の遮断等で光源モジュール７，８のメモリー１６，１８から情報を読み出すことができない場合であっても、照射器１５，１７を適切に制御することができる。その結果、照射器１５，１７の制御の信頼性を向上させることができる。
【００５８】
（３）光源モジュール７，８が取り付けられたときに、光源モジュール７，８のメモリー１６，１８に記憶された情報がメモリー２４に複製される。そのため、照射器１５，１７の交換後においてメモリー２４にはメモリー１６，１８が高温に晒される前の信頼性の高い情報を複製することができる。その結果、各照射器１５，１７の制御の信頼性を更に向上させることができる。
【００５９】
（４）光源モジュール７，８に設けられているメモリー１６，１８に、故障判定用の記憶領域２５をそれぞれ設けているため、故障が生じていないときにのみ、メモリー１６，１８に記憶された情報をメモリー２４に複製することができる。したがって、各照射器１５，１７の制御の信頼性を更に一層向上させることができる。
【００６０】
なお、上記各実施形態は以下のように変更してもよい。
・上記第２の実施形態では、光源モジュール７，８に設けられたメモリー１６，１８に故障判定用の記憶領域２５を設けるようにしたが、こうした構成を省略してもよい。こうした構成によっても、上記（１）〜（３）と同様の効果を得ることはできる。また、メモリー１６，１８のいずれか一方にのみ故障判定用の記憶領域２５を設けるようにしてもよい。
【００６１】
・上記第２の実施形態では、駆動制御部２２は、光源モジュール７，８が取り付けられたときに、メモリー１６，１８に記憶されている情報をメモリー２４に複製するようにしたが、こうした複製処理を実行するタイミングは変更してもよい。すなわち、光源モジュール７，８が交換されたときに限らず、所定周期毎に光源モジュール７，８に設けられたメモリー１６，１８に記憶されている情報をメモリー２４に複製するようにしてもよい。こうした構成によっても、上記（１）〜（２）と同様の効果を得ることはできる。
【００６２】
・上記各実施形態では、第１の光源モジュール７及び第２の光源モジュール８を備える構成を例示したが、いずれか一方の光源モジュールのみを備えるようにしてもよい。また、光源モジュールを３つ以上備えるようにしてもよい。
【００６３】
・上記各実施形態において、各光源モジュール７，８における照射器１５，１７及びメモリー１６，１８の配設位置を適宜変更してもよい。すなわち、光源モジュール７における照射器１５とメモリー１６の配設位置と、光源モジュール８における照射器１７とメモリー１８の配設位置とが異なっていてもよい。
【００６４】
・上記各実施形態において、各光源モジュール７，８における照射器１５，１７とメモリー１６，１８とは別々の基板上に配設され、照射器１５，１７とメモリー１６，１８とが分離した状態で設けられていてもよい。
【００６５】
・上記各実施形態では、各光源モジュール７，８に設けられたメモリー１６，１８に照射特性を示す情報として、電流と光量との関係を記憶した例を示した。しかし、メモリー１６，１８に記憶する照射特性を示す情報は、こうした情報に限定されるものではない。例えば、電圧と光量との関係や、ＰＷＭ制御における駆動デューティー比と光量との関係など、他のパラメーターとの関係をメモリー１６，１８に記憶するようにしてもよい。
【００６６】
・上記各実施形態において、各光源モジュール７，８に光源として複数の照射器を備えるようにしてもよい。例えば、光源として、メタルハイドロランプとＵＶ‐ＬＥＤとを併せ備えるものを採用したり、複数のＵＶ‐ＬＥＤを有するＵＶ‐ＬＥＤ群を備えるものを採用したりしてもよい。
【００６７】
・上記各実施形態では、光硬化性の液体としてＵＶによって硬化するＵＶインクを用いた例を示したが、ＵＶ以外の光（例えば可視光）によって硬化するインクを用いる液体噴射装置に上記各実施形態に示される技術的思想を適用することもできる。可視光は、ＵＶ光よりもエネルギーは低いものの、ＵＶ光よりも光の透過性が良いため、用紙Ｐ上に付着したインク（液体）層が厚い場合には、そのインク層の内部に未硬化部分を残すことなくインク層全体を良好に硬化させることが期待できる。
【００６８】
・上記各実施形態において、液体噴射装置は、インク以外の他の液体を噴射したり吐出したりする液体噴射装置であってもよい。なお、液体噴射装置から微小量の液滴となって吐出される液体の状態としては、粒状、涙状、糸状に尾を引くものも含むものとする。また、ここでいう液体は、ＵＶなどの光を照射することで硬化する材料であって、且つ液体噴射装置から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。液体の代表的な例としては上記各実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。また、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、光通信素子等に用いられる微小半球レンズ（光学レンズ）などを形成するために紫外線硬化樹脂等の透明樹脂液を基板上に噴射する液体噴射装置であってもよい。
【符号の説明】
【００６９】
１…本体ケース、２…支持台、３…背壁、４…紙送りモーター、５…ガイド軸、６…キャリッジ（取付部）、７…第１の光源モジュール、８…第２の光源モジュール、９…駆動プーリー、１０…従動プーリー、１１…駆動モーター、１２…タイミングベルト、１３…噴射ヘッド、１４…インクカートリッジ、１５…照射器（光源）、１６…メモリー（第１の記憶媒体）、１７…照射器（光源）、１８…メモリー（第１の記憶媒体）、１９…メンテナンス機構、２０…制御装置、２１…取得部、２２…駆動制御部（制御部）、２３…記憶部、２４…メモリー（第２の記憶媒体）、２５…故障判定用の記憶領域。
【図１】
2015080893.tif 000003
【図２】
2015080893.tif 000004
【図３】
2015080893.tif 000005
【図４】
2015080893.tif 000006
【図５】
2015080893.tif 000007
【図６】
2015080893.tif 000008